(57)【要約】【課題】撮影した複数枚の画像の評価を容易に行うことのできるカメラおよび画像選択プログラムを提供することを目的とする。【解決手段】被写体の像を撮影する撮像部と、該撮像部により取得された複数枚の画像を比較して各画像間の差異を検出する差異検出部と、該差異検出部が比較対象とした複数枚の画像のうち少なくとも１枚の画像に対して、前記差異検出部により検出された前記差異に該当する部分を強調処理する強調処理部と、該強調処理部により前記差異に該当する部分が強調処理された画像と該画像の比較対象とされた画像とを対比可能に表示する表示部とを備えるカメラを採用する。【選択図】図３
2009124491.tif 000002
【特許請求の範囲】
【請求項１】
被写体の像を撮影する撮像部と、
該撮像部により取得された複数枚の画像を比較して各画像間の差異を検出する差異検出部と、
該差異検出部が比較対象とした複数枚の画像のうち少なくとも１枚の画像に対して、前記差異検出部により検出された前記差異に該当する部分を強調処理する強調処理部と、
該強調処理部により前記差異に該当する部分が強調処理された画像と該画像の比較対象とされた画像とを対比可能に表示する表示部とを備えるカメラ。
【請求項２】
前記強調処理部が、前記差異に該当する部分を着色する請求項１に記載のカメラ。
【請求項３】
前記強調処理部が、前記差異に該当する部分を拡大する請求項１に記載のカメラ。
【請求項４】
前記強調処理部が、前記差異に該当する部分を点滅させる請求項１に記載のカメラ。
【請求項５】
前記強調処理部が、前記差異検出部により検出された前記差異の大きさに応じて、前記差異に該当する部分に施す強調処理の強度を変化させる請求項１から請求項４のいずれかに記載のカメラ。
【請求項６】
前記強調処理部が、前記撮像部により撮影された被写体に応じて、前記差異に該当する部分に施す強調処理の強度を変化させる請求項１から請求項４のいずれかに記載のカメラ。
【請求項７】
前記強調処理部が、前記撮像部により取得された画像における前記差異の位置に応じて、前記差異に該当する部分に施す強調処理の強度を変化させる請求項１から請求項４のいずれかに記載のカメラ。
【請求項８】
複数枚の画像を対比可能に表示させる表示処理と、
該表示処理により表示された複数枚の画像の中から少なくとも１枚の画像を選択することをユーザに促す画像選択処理と、
該画像選択処理により選択されなかった画像に代えて新たな画像を表示させる更新処理と、
前記画像選択処理と前記更新処理とを繰り返す繰り返し処理とをコンピュータに実行させる画像選択プログラム。
【請求項９】
複数枚の画像を対比可能に表示させる表示処理と、
該表示処理により表示された複数枚の画像の中から少なくとも１枚の画像を選択することをユーザに促す画像選択処理と、
該画像選択処理において画像が選択された場合に、表示されている全ての画像を新たな画像に入れ替える更新処理と、
前記表示処理から前記更新処理までを繰り返す第１の繰り返し処理と、
前記画像選択処理において選択された画像について前記表示処理から前記第１の繰り返し処理までを繰り返す第２の繰り返し処理とをコンピュータに実行させる画像選択プログラム。
【請求項１０】
表示する画像のランクを設定するランク設定処理と、
設定されたランクの複数枚の画像を対比可能に表示させる表示処理と、
該表示処理により表示された複数枚の画像の中から少なくとも１枚の画像を選択することをユーザに促す画像選択処理と、
該画像選択処理により選択された画像のランクを上げるとともに、選択されなかった画像のランクを下げるランク変更処理と、
設定されているランクの画像の有無を判定し、画像が無くなったときには表示する画像のランクを上げるランク切り替え処理と、
表示されている全ての画像を新たな画像に入れ替える更新処理と、
前記画像選択処理から前記更新処理までを繰り返す繰り返し処理とをコンピュータに実行させる画像選択プログラム。
【発明の詳細な説明】
【技術分野】
【０００１】
本発明は、画像の選択を行うカメラおよび画像選択プログラムに関するものである。
【背景技術】
【０００２】
従来、ブラケット撮影により撮影された複数枚の画像を、撮影条件とともに複数枚表示する、あるいは、１枚ずつ表示する技術が知られている（例えば、特許文献１参照）。
【特許文献１】特開２００５−８０１６０号公報
【発明の開示】
【発明が解決しようとする課題】
【０００３】
しかしながら、上記技術では、高速連写撮影を行った場合には撮影条件は殆ど変化しないため、画像の良し悪しを判断することが難しかった。また、１枚ずつ表示する場合には、過去に表示した画像と現在表示している画像との比較が困難であるという不都合があった。
【０００４】
本発明は、このような事情に鑑みてなされたものであって、撮影した複数枚の画像の評価を容易に行うことのできるカメラおよび画像選択プログラムを提供することを目的とする。
【課題を解決するための手段】
【０００５】
上記課題を解決するために、本発明は以下の手段を採用する。
本発明は、被写体の像を撮影する撮像部と、該撮像部により取得された複数枚の画像を比較して各画像間の差異を検出する差異検出部と、該差異検出部が比較対象とした複数枚の画像のうち少なくとも１枚の画像に対して、前記差異検出部により検出された前記差異に該当する部分を強調処理する強調処理部と、該強調処理部により前記差異に該当する部分が強調処理された画像と該画像の比較対象とされた画像とを対比可能に表示する表示部とを備えるカメラを採用する。
【０００６】
本発明によれば、撮像部により複数枚の画像が取得されると、差異検出部により複数枚の画像が比較され、各画像間の差異が検出される。そして、強調処理部により前記差異に該当する部分に強調処理が施された画像が、比較対象とされた画像とともに表示部に対比可能に表示される。
これにより、撮影した複数枚の画像間の差異をユーザが容易に視認することができ、各画像の評価を容易に行うことが可能となる。
【０００７】
また、上記発明において、前記強調処理部が、前記差異に該当する部分を着色することとしてもよい。
このようにすることで、撮影した複数枚の画像間の差異をユーザが明確に視認することができる。
【０００８】
また、上記発明において、前記強調処理部が、前記差異に該当する部分を拡大することとしてもよい。
このようにすることで、撮影した複数枚の画像間の差異をユーザが明確に視認することができる。
【０００９】
また、上記発明において、前記強調処理部が、前記差異に該当する部分を点滅させることとしてもよい。
このようにすることで、撮影した複数枚の画像間の差異をユーザが明確に視認することができる。
【００１０】
また、上記発明において、前記強調処理部が、前記差異検出部により検出された前記差異の大きさに応じて、前記差異に該当する部分に施す強調処理の強度を変化させることとしてもよい。
このようにすることで、差異が比較的大きい部分には強い強調処理を施し、差異が比較的小さい部分には弱い強調処理を施すことができる。これにより、差異が比較的大きい画像をユーザが容易に選択することができる。
【００１１】
また、上記発明において、前記強調処理部が、前記撮像部により撮影された被写体に応じて、前記差異に該当する部分に施す強調処理の強度を変化させることとしてもよい。
このようにすることで、例えば、被写体が人物の場合には強調処理を強く施すことにより、人物を撮影した画像をユーザが容易に選択することができる。
【００１２】
また、上記発明において、前記強調処理部が、前記撮像部により取得された画像における前記差異の位置に応じて、前記差異に該当する部分に施す強調処理の強度を変化させることとしてもよい。
このようにすることで、例えば、画像の中央付近の前記差異に該当する部分には強調処理を強く施すことにより、撮影対象とした被写体の状態が変化した画像をユーザが容易に選択することができる。
【００１３】
本発明は、複数枚の画像を対比可能に表示させる表示処理と、該表示処理により表示された複数枚の画像の中から少なくとも１枚の画像を選択することをユーザに促す画像選択処理と、該画像選択処理により選択されなかった画像に代えて新たな画像を表示させる更新処理と、前記画像選択処理と前記更新処理とを繰り返す繰り返し処理とをコンピュータに実行させる画像選択プログラムを採用する。
【００１４】
本発明によれば、表示処理により対比可能に表示された複数枚の画像の中から、画像選択処理により少なくとも１枚の画像が選択され、該画像が更新処理により表示された新たな画像と対比可能に表示される。
このようにすることで、複数枚の画像を対比させて各画像の優劣を決めることができる。そして、繰り返し処理により一連の処理を繰り返すことで、複数枚の画像から勝ち抜き方式で画像の選択が行われ、これにより複数枚の画像の中から所望の画像を容易に選び出すことが可能となる。
【００１５】
本発明は、複数枚の画像を対比可能に表示させる表示処理と、該表示処理により表示された複数枚の画像の中から少なくとも１枚の画像を選択することをユーザに促す画像選択処理と、該画像選択処理において画像が選択された場合に、表示されている全ての画像を新たな画像に入れ替える更新処理と、前記表示処理から前記更新処理までを繰り返す第１の繰り返し処理と、前記画像選択処理において選択された画像について前記表示処理から前記第１の繰り返し処理までを繰り返す第２の繰り返し処理とをコンピュータに実行させる画像選択プログラムを採用する。
【００１６】
本発明によれば、表示処理により表示された複数枚の画像の中から少なくとも１枚の画像が、画像選択処理において選択される。そして、更新処理により表示されている全ての画像が更新され、これらの処理が第１の繰り返し処理により繰り返される。また、これら一連の処理が第２の繰り返し処理により繰り返される。
このようにすることで、複数枚の画像を対比させて各画像の優劣を決めることができる。そして、第２の繰り返し処理により一連の処理を繰り返すことで、複数枚の画像からトーナメント方式で画像の選択が行われ、これにより複数枚の画像の順位付けを行うことが可能となる。
【００１７】
本発明は、表示する画像のランクを設定するランク設定処理と、設定されたランクの複数枚の画像を対比可能に表示させる表示処理と、該表示処理により表示された複数枚の画像の中から少なくとも１枚の画像を選択することをユーザに促す画像選択処理と、該画像選択処理により選択された画像のランクを上げるとともに、選択されなかった画像のランクを下げるランク変更処理と、設定されているランクの画像の有無を判定し、画像が無くなったときには表示する画像のランクを上げるランク切り替え処理と、表示されている全ての画像を新たな画像に入れ替える更新処理と、前記画像選択処理から前記更新処理までを繰り返す繰り返し処理とをコンピュータに実行させる画像選択プログラムを採用する。
【００１８】
本発明によれば、ランク設定処理により設定されたランクの複数枚の画像が、表示処理により対比可能に表示され、その中の少なくとも１枚の画像が、画像選択処理により選択される。そして、ランク変更処理により各画像のランクが変更され、設定されたランクの画像が無くなったときに、ランク切り替え処理により表示する画像のランクが上げられるとともに、更新処理により全ての画像が新たな画像に入れ替えられる。
このようにすることで、複数枚の画像を対比させて各画像の優劣を決めることができる。そして、繰り返し処理により一連の処理を繰り返すことで、複数枚の画像からトーナメント方式で画像の選択が行われ、これにより複数枚の画像の順位付けを行うことが可能となる。
【発明の効果】
【００１９】
本発明によれば、撮影した複数枚の画像の評価を容易に行うことのできるという効果を奏する。
【発明を実施するための最良の形態】
【００２０】
〔第１の実施形態〕
以下、本発明の第１の実施形態に係るカメラおよび画像選択プログラムについて、図面を参照して説明する。
本実施形態に係るカメラ１は、図１および図２に示すように、略直方体形状に形成されたカメラ本体３と、該カメラ本体３の前面に突出可能に設けられ、外部からの光を集めて被写体の像を結像させるレンズユニット５と、カメラ本体３の上端面に設けられ、前記レンズユニット５からの画像を取得する操作を行うシャッタ操作部７と、カメラ本体３の背面に設けられ、取得された画像を表示する表示部３１とを備えている。
【００２１】
カメラ本体３は、図３に示すように、レンズユニット５により結像された被写体の像を所定のフレームレートで連写撮影するＣＣＤ等の撮像部９と、撮像部９により取得されたアナログ画像データをデジタル画像データに変換するアナログフロントエンド（以下「ＡＦＥ」という。）１１と、撮像部９により取得された画像データを記録する記録部１７と、複数枚の画像を比較して各画像間の差異を検出する差異検出部４１と、該差異に該当する部分を強調処理する強調処理部４３と、複数枚の画像を対比可能に表示する表示部３１と、装置全体の制御を行う全体制御部１５とを備えている。
【００２２】
シャッタ操作部７は、カメラ本体３の上端面に対して垂直方向に押し込み可能な押しボタン式のシャッタボタン１２３を備えており、所定量を押し込むことによりシャッタが切られるようになっている。
【００２３】
全体制御部１５は、カメラ全体を制御する全体コントローラ１９と、ＡＦＥ１１から出力されるデジタル信号をカラー補正やＪＰＥＧ圧縮等の処理を行う映像信号処理部２１と、全体コントローラ１９から送られる制御信号に基づいてＡＦＥ１１を制御するゲイン制御部２３と、全体コントローラ１９から送られる制御信号に基づいて撮像部９およびＡＦＥ１１を制御するタイミング制御部２５と、全体コントローラ１９から送られる制御信号に基づいてレンズユニット５を制御するレンズユニット制御部２７とを備えている。
【００２４】
記録部１７は、画像データを一時的に記憶するバッファメモリ２９と、バッファメモリ２９に記憶された画像データを保存するカードインターフェース３３とを備えている。
【００２５】
差異検出部４１は、撮像部９により取得された複数枚の画像を記録部１７より読み出し、読み出した複数枚の画像を比較して各画像間の差異を検出するようになっている。具体的な各画像間の差異の検出方法として、例えば、比較対象とする各画像において対応する部分を特定し、該部分の平均輝度値の差異を検出してもよいし、色差を検出することとしてもよい。また、差異の検出にあたっては、手ブレの補正を行うこととしてもよい。
【００２６】
強調処理部４３は、差異検出部４１が比較の対象とした複数枚の画像のうち、少なくとも１枚の画像に対して、差異検出部４１により検出された前記差異に該当する部分に強調処理を施すようになっている。ここでは、強調処理の具体的な方法として、図４に示すように、比較対象とする一方の画像に対して、差異検出部４１により検出された前記差異に該当する部分を着色するとして説明する。
【００２７】
表示部３１は、図４に示すように、強調処理部４３により前記差異に該当する部分が強調処理された画像と、該画像の比較対象とされた画像とを対比可能に表示するようになっている。ここでは、前記差異に該当する部分が強調処理された画像Ｂと、その比較対象とされた画像Ａの２枚の画像を表示することとして説明する。
【００２８】
全体コントローラ１９は、例えば、図示しないＣＰＵ（Central  Processing  Unit）、ＲＯＭ（Read  Only  Memory）、ＲＡＭ（Random  Access  Memory）等から構成されている。複数枚の画像から所望の画像を選択するための一連の処理の過程は、プログラムの形式でＲＯＭ等に記録されており、このプログラムをＣＰＵがＲＡＭ等に読み出して、情報の加工・演算処理を実行することにより各処理が実現される。
【００２９】
上記の画像選択プログラムは、複数枚の画像を対比可能に表示させる表示処理と、該表示処理により表示された複数枚の画像の中から少なくとも１枚の画像を選択することをユーザに促す画像選択処理と、該画像選択処理により選択されなかった画像に代えて新たな画像を表示させる更新処理と、前記画像選択処理と前記更新処理とを繰り返す繰り返し処理とを全体コントローラ１９に実行させるようになっている。
【００３０】
上記のように構成されたカメラ１の作用について以下に説明する。
カメラ１が起動されると、レンズユニット５を介して結像される被写体の像が、撮像部９により取得されてアナログ画像データとして出力され、ＡＦＥ１１においてデジタル画像データに変換される。そして、該画像データは、映像信号処理部２１において画像処理が施され、全体制御部１５を介して表示部３１に表示される。
【００３１】
この際、シャッタボタン１２３が所定量押し込まれると、全体制御部１５において、映像信号処理部２１から出力されるその時点の被写体のデジタル画像信号に基づいて、ゲイン制御部２３、タイミング制御部２５、およびレンズユニット制御部２７が作動する。これにより、撮影画像が適正露光になるように、レンズユニット５、撮像部９およびＡＦＥ１１がそれぞれ制御されて、撮像部９において被写体の画像データが取得される。
【００３２】
このように撮像部９により取得された画像データは、全体コントローラ１９を介してバッファメモリ２９に出力されて一時的に記憶される。バッファメモリ２９に記憶された画像データは、全体コントローラ１９の作動により、表示部３１に静止画像として表示したり、カードインターフェース３３に保存したりすることができる。
【００３３】
撮影が終了し、ユーザにより画像選択モードが選択されると、差異検出部４１により記録部１７から複数枚の画像が読み出され、これらの画像を比較して画像間の差異が検出される。すなわち、図４に示す例において、記録部１７から２枚の画像が読み出され、これらの画像間の差異として、被写体の目の大きさが検出される。
【００３４】
そして、強調処理部４３により、記録部１７から読み出した２枚の画像のうち一方の画像に対して、差異検出部４１により検出された差異に該当する部分に着色が行われる。すなわち、図４に示す例において、画像Ｂにおける被写体の目の部分Ｔに着色が行われる。
【００３５】
このように強調処理が施された画像と、該画像の比較対象とされた画像とが表示部３１に対比可能に表示される。すなわち、図４に示すように、被写体の目の部分Ｔに着色が行われた画像Ｂと、画像Ｂの比較対象とされた画像Ａとが表示部３１に並べて表示される。
【００３６】
上記の処理について、図６に示すフローチャートを用いて以下に説明する。
上述のように、画像Ａと画像Ｂとの差異が検出され（Ｓ１）、該差異に該当する部分に強調処理が施され（Ｓ２）、強調処理が施された画像Ｂと比較対象である画像Ａとが表示部３１に並べて表示される（Ｓ３）。
【００３７】
次に、表示部３１に表示された複数枚の代表画像から、所望の画像をユーザに選択させる際の処理について以下に説明する。
勝ち抜き方式による画像表示が開始されると、ユーザにより画像の選択が行われ（Ｓ４）、ユーザが画像Ａを選択した場合には画像Ｂが表示部３１から削除され（Ｓ５）、ユーザが画像Ｂを選択した場合には画像Ａが表示部３１から削除される（Ｓ６）。
【００３８】
そして、まだユーザによる選択が行われていない画像、すなわち、未選択画像が有るか否かが判定される（Ｓ７）。未選択画像がある場合には、消去された画像の領域に新たな画像を表示して（Ｓ８）、Ｓ１からＳ７までの処理を繰り返し、未選択画像が無くなった場合には画像選択処理を終了する。
【００３９】
上記の処理について、図７に示す具体例を用いて以下に説明する。
図７に示すように、表示部３１に画像Ａと画像Ｂとが対比可能に表示され、ユーザの選択が促される。画像Ａの方が画像Ｂよりも所望の画像に合致していると、ユーザが判断した場合、ユーザの操作により画像Ａが選択される。そして、画像Ａについては表示部３１に表示させたままとしておき、画像Ｂについては新たな画像に入れ替えられる。
上記の処理を繰り返していくことで、最終的に残った画像が所望の画像となる。
【００４０】
以上説明したように、本実施形態に係るカメラによれば、撮像部９により複数枚の画像が取得されると、差異検出部４１により複数枚の画像が比較され、各画像間の差異が検出される。そして、強調処理部４３により前記差異に該当する部分に強調処理が施された画像が、比較対象とされた画像とともに表示部３１に対比可能に表示される。
これにより、撮影した複数枚の画像間の差異をユーザが容易に視認することができ、各画像の評価を容易に行うことが可能となる。
【００４１】
また、強調処理部４３が、差異検出部４１により検出された前記差異に該当する部分を着色することで、撮影した複数枚の画像間の差異をユーザが明確に視認することができる。
【００４２】
また、本実施形態に係る画像選択プログラムによれば、表示処理により対比可能に表示された複数枚の画像の中から、画像選択処理により少なくとも１枚の画像が選択され、該画像が更新処理により表示された新たな画像と対比可能に表示される。
このようにすることで、複数枚の画像を対比させて各画像の優劣を決めることができる。そして、繰り返し処理により一連の処理を繰り返すことで、複数枚の画像の勝ち抜き戦が行われ、これにより複数枚の画像の中から所望の画像を容易に選び出すことが可能となる。
【００４３】
なお、本実施形態に係るカメラにおいて、強調処理部４３が、差異検出部４１により検出された前記差異に該当する部分を点滅させることとしてもよい。
このようにすることで、撮影した複数枚の画像間の差異をユーザが明確に視認することができる。また、各画像間の差異が色である場合にも当該差異を表すことが可能となる。
【００４４】
また、図５に示すように、強調処理部４３が、差異検出部４１により検出された前記差異に該当する部分を拡大することとしてもよい。すなわち、図５に示す例において、画像Ａにおける前記差異に該当する部分を領域Ｘ、画像Ｂにおける前記差異に該当する部分を領域Ｙとすると、強調処理部４３が領域Ｘを拡大した画像Ｘ´および領域Ｙを拡大した画像Ｙ´を生成し、これらの画像を画像Ａおよび画像Ｂとともに表示部３１に表示することとしてもよい。また、その際には、画像Ａにおける領域Ｘの位置および画像Ｂにおける領域Ｙの位置を表示することとしてもよい。
このようにすることで、撮影した複数枚の画像間の差異を明確に表示するとともに、強調処理を施す前の画像をユーザが視認することができる。
【００４５】
また、本実施形態に係るカメラにおいて、強調処理部４３が、差異検出部４１により検出された前記差異の大きさに応じて、前記差異に該当する部分に施す強調処理の強度を変化させることとしてもよい。具体的には、強調処理の強度として、例えば、色の彩度や点滅のスピード等を変化させる。
このようにすることで、差異が比較的大きい部分には強い強調処理を施し、差異が比較的小さい部分には弱い強調処理を施すことができる。これにより、差異が比較的大きい画像をユーザが容易に選択することができる。
【００４６】
また、本実施形態に係るカメラにおいて、強調処理部４３が、撮像部９により撮影された被写体に応じて、前記差異に該当する部分に施す強調処理の強度を変化させることとしてもよい。
このようにすることで、例えば、被写体が人物の場合には強調処理を強く施すことにより、人物を撮影した画像をユーザが容易に選択することができる。
【００４７】
また、本実施形態に係るカメラにおいて、強調処理部４３が、撮像部９により取得された画像における前記差異の位置に応じて、前記差異に該当する部分に施す強調処理の強度を変化させることとしてもよい。
このようにすることで、例えば、画像の中央付近の前記差異に該当する部分には強調処理を強く施すことにより、撮影対象とした被写体の状態が変化した画像をユーザが容易に選択することができる。
【００４８】
〔第２の実施形態〕
次に、本発明の第２の実施形態について以下に説明する。
本実施形態に係るカメラが第１の実施形態と異なる点は、複数枚の画像から所望の画像をユーザに選択させる際に使用するプログラムとして、トーナメント方式による画像選択プログラムが全体コントローラ１９に記録されている点である。以下、本実施形態のカメラおよび画像選択プログラムについて、第１の実施形態と共通する点については説明を省略し、異なる点について主に説明する。
【００４９】
本実施形態に係る画像処理プログラムは、表示する画像のランクを設定するランク設定処理と、設定されたランクの複数枚の画像を対比可能に表示させる表示処理と、該表示処理により表示された複数枚の画像の中から少なくとも１枚の画像を選択することをユーザに促す画像選択処理と、該画像選択処理により選択された画像のランクを上げるとともに、選択されなかった画像のランクを下げるランク変更処理と、設定されているランクの画像の有無を判定し、画像が無くなったときには表示する画像のランクを上げるランク切り替え処理と、表示されている全ての画像を新たな画像に入れ替える更新処理と、前記画像選択処理から前記更新処理までを繰り返す繰り返し処理とを全体コントローラ１９に実行させるようになっている。
【００５０】
以下に、図８に示すフローチャートを用いて、上記の画像選択プログラムによる画像選択処理について説明する。
トーナメント方式による画像表示が開始されると、全ての画像のタグ番号ｔがｎとされる（Ｓ１１）。ここで、タグ番号は、画像のランクを表す番号である。
そして、第１の実施形態と同様に、画像Ａと画像Ｂとの差異が検出され（Ｓ１２）、該差異に該当する部分に強調処理が施され（Ｓ１３）、強調処理が施された画像Ｂと比較対象の画像Ａとが表示部３１に並べて表示される（Ｓ１４）。
【００５１】
そして、ユーザにより画像の選択が行われ（Ｓ１５）、ユーザが画像Ａを選択した場合には、画像Ａのタグ番号ｔがインクリメントされ、ｔ＝ｎ＋１とされる。また、画像Ｂのタグ番号ｔがデクリメントされ、ｔ＝ｎ−１とされる。すなわち、画像Ａのランクが１段階上げられるとともに、画像Ｂのランクが１段階下げられる（Ｓ１６）。一方、ユーザが画像Ｂを選択した場合には、画像Ｂのタグ番号ｔがインクリメントされ、ｔ＝ｎ＋１とされるとともに、画像Ａのタグ番号ｔがデクリメントされ、ｔ＝ｎ−１とされる（Ｓ１７）。
【００５２】
そして、まだタグ番号ｔ＝ｎの画像が有るか否か、すなわち、ランクｎの画像の有無が判定される（Ｓ１８）。
Ｓ１８において、タグ番号ｔ＝ｎの画像がある場合には、新たな画像を表示して（Ｓ２１）、Ｓ１２からＳ１８までの処理を繰り返す。この際、ランクｎの画像が複数ある場合には２枚の画像を対比して表示させる。一方、ランクｎの画像が１枚の場合には当該画像を表示させ、Ｓ１５において当該画像をユーザに選択させることとしてもよいし、自動的に当該画像を選択し、当該画像のタグ番号ｔをインクリメントしてｔ＝ｎ＋１とすることとしてもよい。
【００５３】
一方、Ｓ１８において、タグ番号ｔ＝ｎの画像がない場合には、表示する画像のランクｎを１段階上げてｎ＋１にする（Ｓ１９）。
そして、タグ番号ｔ＝ｎの画像が２枚以上あるか否かが判定される（Ｓ２０）。タグ番号ｔ＝ｎの画像が２枚以上ある場合には前述のＳ２１の処理が行われ、タグ番号ｔ＝ｎの画像が２枚以上ない場合、すなわち、最終的に１枚の画像が残った場合に画像選択処理を終了する。
【００５４】
上記の処理について、図９に示す具体例を用いて以下に説明する。
ここでは、画像Ａ、画像Ｂ、画像Ｃ、および画像Ｄの４枚の画像が撮像部９により取得されたとして説明する。
【００５５】
まず、図９（ａ）に示すように、表示部３１に画像Ａと画像Ｂとが対比可能に表示され、ユーザの選択が促される。画像Ｂの方が画像Ａよりも所望の画像に近いとユーザが判断した場合、ユーザの操作により画像Ｂが選択され、選択された画像Ｂのタグ番号がインクリメントされる。
【００５６】
次に、図９（ｂ）に示すように、新たに画像Ｃと画像Ｄとが表示部３１に対比可能に表示され、ユーザの選択が促される。画像Ｃの方が画像Ｄよりも所望の画像に近いとユーザが判断した場合、ユーザの操作により画像Ｃが選択され、選択された画像Ｃのタグ番号がインクリメントされる。
【００５７】
次に、図９（ｃ）に示すように、前述の処理により選択された画像Ｂと画像Ｃとが表示部３１に対比可能に表示され、ユーザの選択が促される。画像Ｃの方が画像Ｂよりも所望の画像に近いとユーザが判断した場合、ユーザの操作により画像Ｃが選択され、選択された画像Ｃが最終的に所望の画像として選択される。
【００５８】
以上説明したように、本実施形態に係る画像選択プログラムによれば、ランク設定処理により設定されたランクの複数枚の画像が、表示処理により対比可能に表示され、その中の少なくとも１枚の画像が、画像選択処理により選択される。そして、ランク変更処理により各画像のランクが変更され、設定されたランクの画像が無くなったときに、ランク切り替え処理により表示する画像のランクが上げられるとともに、更新処理により全ての画像が新たな画像に入れ替えられる。
このようにすることで、複数枚の画像を対比させて各画像の優劣を決めることができる。そして、繰り返し処理により一連の処理を繰り返すことで、複数枚の画像からトーナメント方式で画像の選択が行われ、これにより複数枚の画像の順位付けを行うことが可能となる。
【００５９】
なお、本実施形態に係る画像選択プログラムは、複数枚の画像を対比可能に表示させる表示処理と、該表示処理により表示された複数枚の画像の中から少なくとも１枚の画像を選択することをユーザに促す画像選択処理と、該画像選択処理において画像が選択された場合に、表示されている全ての画像を新たな画像に入れ替える更新処理と、前記表示処理から前記更新処理までを繰り返す第１の繰り返し処理と、前記画像選択処理において選択された画像について前記表示処理から前記第１の繰り返し処理までを繰り返す第２の繰り返し処理とを全体コントローラ１９に実行させることとしてもよい。
【００６０】
上記の画像選択プログラムによれば、表示処理により表示された複数枚の画像の中から少なくとも１枚の画像が、画像選択処理において選択される。そして、更新処理により表示されている全ての画像が更新され、これらの処理が第１の繰り返し処理により繰り返される。さらに、これら一連の処理が第２の繰り返し処理により繰り返される。
このようにすることで、複数枚の画像を対比させて各画像の優劣を決めることができる。そして、第２の繰り返し処理により一連の処理を繰り返すことで、複数枚の画像からトーナメント方式で画像の選択が行われ、これにより複数枚の画像の順位付けを行うことが可能となる。
【００６１】
以上、本発明の実施形態について図面を参照して詳述してきたが、具体的な構成はこの実施形態に限られるものではなく、本発明の要旨を逸脱しない範囲の設計変更等も含まれる。
例えば、表示部３１に表示する画像の枚数を３枚以上としてもよい。また、第１の実施形態において、ユーザによる比較を容易にするために、ユーザにより選択された画像を、常に表示部３１の所定の位置に表示することとしてもよい。
【図面の簡単な説明】
【００６２】
【図１】本発明の第１の実施形態に係るカメラの上面図である。
【図２】図１のカメラの背面図である。
【図３】図１のカメラが備える機能を展開して示した機能ブロック図である。
【図４】図１のカメラの強調処理部の動作を説明する図である。
【図５】図１の変形例に係るカメラの強調処理部の動作を説明する図である。
【図６】図１のカメラの画像選択処理を示すフローチャートである。
【図７】図１のカメラの画像選択時の動作を説明する図である。
【図８】本発明の第２の実施形態に係るカメラの画像選択処理を示すフローチャートである。
【図９】図８のカメラの画像選択時の動作を説明する図であって、（ａ）は画像Ａと画像Ｂとを比較する場合、（ｂ）は画像Ｃと画像Ｄとを比較する場合、（ｃ）は画像Ｂと画像Ｃとを比較する場合である。
【符号の説明】
【００６３】
１  カメラ
３  カメラ本体
５  レンズユニット
７  シャッタ操作部
９  撮像部
１７  記録部
１９  全体コントローラ
３１  表示部
４１  差異検出部
４３  強調処理部
【図１】
2009124491.tif 000003
【図２】
2009124491.tif 000004
【図３】
2009124491.tif 000005
【図４】
2009124491.tif 000006
【図５】
2009124491.tif 000007
【図６】
2009124491.tif 000008
【図７】
2009124491.tif 000009
【図８】
2009124491.tif 000010
【図９】
2009124491.tif 000011